Podtech/llm-jp-corpus-v4-ja_patent huggingface dataset:
(57)【要約】      （修正有）【課題】発泡合成樹脂を用いて、断熱効率のよい床断熱構造を提供する。【解決手段】下地材１はコンクリート層、中間層２は、モルタル層で該下地コンクリート層上に設けられる。発泡合成樹脂３は、接着剤４にてモルタル層上に接着される。タイル５は、接着剤６を介して発泡合成樹脂上に接着される。施工手順としては、まず床下地のコンクリート上にモルタル層を設ける。次に、養生後のモルタル層上に接着剤にて発泡合成樹脂としての発泡ポリスチレンフォーム板を固着する。この発泡合成樹脂は加工が容易であるとともに断熱性能に優れ、水を吸収せず軽くて丈夫である。この発泡合成樹脂上に接着剤を介してタイルを接着する。なお、タイルに代え耐水加工をおこなった木合板でああっても良い。【選択図】図３
0003172980.tif 000002
【実用新案登録請求の範囲】
【請求項１】
建物の床下地材上に発泡合成樹脂を固着し、該樹脂上に、仕上げ素材を固着したことを特徴とする発泡合成樹脂を用いた床断熱構造。
【請求項２】
発泡合成樹脂を発泡ポリスチレンフォームとした請求項１記載の発泡合成樹脂を用いた床断熱構造。
【請求項３】
仕上げ素材をタイルとした請求項１または２記載の発泡合成樹脂を用いた床断熱構造。
【請求項４】
床下地材と発泡合成樹脂間に中間層を設けてなる請求項１から３のいずれかの項に記載の発泡合成樹脂を用いた床断熱構造。
【考案の詳細な説明】
【技術分野】
【０００１】  この考案は、発泡合成樹脂を用いた床断熱構造に関する。
【背景技術】
【０００２】  従来より、種々の床断熱構造が利用されているが、本案にて示すように発泡合成樹脂を用いた床断熱構造は見あたらない。
【考案の開示】
【考案が解決しようとする課題】
【０００３】  住宅等の断熱において、床断熱は大切であり、とりわけ寒冷地においては必須である。
部屋内の暖房効率を上げることについても、室内壁面や床面からの熱の放散が進むと暖房効果が低下して好ましくない。以前より多用されている床断熱構造は、発泡合成樹脂を用いないのでその床断熱効率が十分ではなく、より効率的な断熱方法が求められているのが現状である。本案は以上に鑑み、より効率のよい床断熱構造を提供することを目的として考案されたものである。
【課題を解決するための手段】
【０００４】  課題を解決する手段として本案は以下の構成とした。
すなわち、建物の床下地材上に発泡合成樹脂を固着し、該樹脂上に、仕上げ素材を固着する。本案は以上の構成よりなる発泡合成樹脂を用いた床断熱構造である。
【考案の効果】
【０００５】  本案によれば、床下地上に発泡合成樹脂が位置し、該樹脂上にタイルを設けているので、高断熱効果および高遮音効果を得ることのできる有用なる床断熱構造を得ることができる。なお、本案方式は床のみならず壁面にも応用可能である。
【考案を実施するための最良の形態】
【０００６】  以下、本考案の実施形態について説明する。
図において、１は下地材としてのコンクリート層、２は中間層としてのモルタル層で、該下地コンクリート層上に設けられる。３は発泡合成樹脂としての発泡合成樹脂で、接着剤４にてモルタル層上に接着される。
５はタイルで、接着剤６を介して発泡合成樹脂上に接着される。
施工手順としては、まず床下地のコンクリート上にモルタル層を設ける。
このモルタル層施工においては、金属ネット等を用いてその成型性を保全して行う。
モルタル層の厚さは１０〜１５ミリメートルほどであって、施工後２日程度の養生を行う。このモルタル層にて下地上に平滑面が形成される。
次に、養生後のモルタル層上に接着剤にて発泡合成樹脂としての発泡ポリスチレンフォーム板を固着する。この発泡合成樹脂は加工が容易であるとともに断熱性能に優れ、水を吸収せず軽くて丈夫であり、本案では厚さ２０〜２５ミリメートルのものを用いた。
この発泡合成樹脂上に接着剤を介してタイルを接着する。このタイルは厚さ５ミリメートル程度であって合成樹脂や陶製など種々のものが利用できる。なお、以上の接着剤は乾燥固化に２４時間程度を要する。
図４は本案の他例である。本例は、前例のモルタル層に代えてその表面に耐水加工を施した木合板７を用いた例で、それ以外は前例同様である。なお、木合板とコンクリート層との間は接着剤８にて接着される。【０００７】  以上、本案について記したが、本案は床断熱に発泡合成樹脂を用いたところにその特徴を有している。従来からの床断熱は、下地コンクリート層上にモルタル層を設けて平滑面として、この平滑面上にタイルを接着させる方式であった。これに対し本案では、モルタル層上に既述の発泡合成樹脂板を接着し、該樹脂板上にタイルを接着する方式を用いている。周知のごとく、発泡合成樹脂は高い断熱性能を有することが知られており、本案はこの断熱性能を利用した新規な床断熱構造としたので、従来方式に比べてより高い断熱能力を得られるものとなったのである。なお、中間層を省いての施工も可能である。
本案は、高断熱機能を最も必要とする浴室に適しており、本案利用にて快適な入浴を行うことができる。なお、本案は床以外に、室壁面への利用も可能であり、この場合は断熱機能にあわせて防音効果も得ることができる。
以上のごとく、本案によって高断熱能力を有する床断熱構造を得ることができる。
【図面の簡単な説明】
【０００８】
【図１】本考案の使用場所としての浴室の平面図
【図２】本考案の使用場所としての浴室における床部分呈示図（Ａ−Ａ断面）
【図３】本考案の構成説明図（モルタル使用時）
【図４】本考案の構成説明図（モルタル不使用時）
【符号の説明】
【０００９】  １  コンクリート層
２  モルタル層
３  発泡合成樹脂
４  接着剤
５  タイル
６  接着剤
７  木合板
８  接着剤
１０  浴槽
１１  浴室床部分
【図１】
0003172980.tif 000003
【図２】
0003172980.tif 000004
【図３】
0003172980.tif 000005
【図４】
0003172980.tif 000006
(57)【要約】      （修正有）【課題】防鳥ネット取付け後の飛翔系不快害虫やクモの巣が、大量に付着する環境衛生問題を解決する防鳥・防球ネット具を提供する。【解決手段】鳩などの鳥類等に対する飛来防止ネットに対するクモ等付着防止の為に、クモ等の飛翔系不快害虫が嫌がる溶剤をネットに直接浸透させる。このネットに浸透させる溶剤は、効果を持続させるため、粘着性を増した溶剤にネットを浸透層に１日浸透させる。上記の溶剤は、トルイミド化合物を配合する。これは、環境ホルモン物質、ＰＲＴＲ該当物質も一切含まない、人間や動物にも無害な材料を使用し安全で、かつ害虫の付着防止効果が期待できる溶剤である。【選択図】図１
0003172974.tif 000002
【実用新案登録請求の範囲】
【請求項１】
ポリエチレン製ネットに、環境ホルモン物質およびＰＲＴＲ該当物質を一切含まない物質、トルイミド化合物を付着浸透させ、クモ及び飛翔系不快害虫が巣を作りにくくした害虫避け鳥類等の飛来進入防止具。
【考案の詳細な説明】
【技術分野】
【０００１】この考案は、鳩などが巣を作りやすい工場の天井部やシャッター出入り口及び駅構内ママンションベランダなどに対策をする鳩等の進入防止ネットを設置した場合に発生するクモの巣や飛翔系不快害虫が巣を作りにくいように特殊溶剤の浸透加工を施した、ポリエチレン製のネットである。
【考案の概要】
【考案が解決しようとする課題】
【０００３】駅構内や精密機械メーカー、物流センター、商業施設、マンションベランダ等において、鳩をはじめとする鳥類が発するフン害で多くの企業が衛生・景観上問題があるとしていた。多くは、一般のネットを施工し進入を防げたが、施工後、二次被害としてネットにクモをはじめとする飛翔系不快害虫が住み着き、大量のクモの巣や害虫の死骸等が付着し、汚れの付着の二次災害で頭を抱えてきた。特にクモの巣や害虫の死骸等が直接商品や精密機械に落下、付着することでクレームや故障の原因となる。また駅や商業施設などは、景観上の問題として指摘されていた。鳥類の進入用のネットにクモなどが住み着かないネットの開発が求められている。
【課題を解決するための手段】
【０００４】上記の目的を達成するために、本考案におけるクモ等付着防止ネットは、クモ等の飛翔系不快害虫が嫌がる溶剤をネットに直接浸透させることで、クモ等の巣を作らせない製品とした。【０００５】ネットに浸透させる溶剤は、効果を持続させるため、粘着性を増した溶剤にネットを浸透層に１日浸透させ、飛翔系不快害虫やクモ等の付着を無くした。【０００６】溶剤は、従来のピレスロイド系薬剤に代わり、新成分のトルイミド化合物を配合し、環境ホルモン物質、ＰＲＴＲ該当物質も一切含まない、人間や動物にも無害な材料を使用し安全で、かつ害虫の付着防止効果が期待できる
【考案の効果】
【０００７】  請求１の溶剤浸透加工を施した飛翔系不快害虫、クモの巣防除ネットにおいては、従来のように、ネット施工後まもなく飛翔系不快害虫やクモの巣が住み着いていたが、本考案品は、付着を大幅に軽減した。衛生面、景観上の美観を大幅に向上させることができる。
【実施例】
【０００８】  本考案の飛翔系不快害虫、クモの巣防除ネット具を図のように建物のベランダ等に取付ける。取付け方法はビス止めで固定する。従来一般の市販ネットでは、鳥類の進入は阻止できたが、二次被害で飛翔系不快害虫やクモの巣が住み着いていて困っていたが、本考案品で上記被害を大幅に改善。
【図面の簡単な説明】
【０００９】
【図１】本考案品の傾視図である
【図２】本考案品の傾視図である
【図３】本考案品の傾視図である
【符号の説明】
【００１０】  １  浸透層平面図  ２  浸透層断面図  ３  取付け詳細図リング固定  ４  ベランダ施工図  ５
【図１】
0003172974.tif 000003
【図２】
0003172974.tif 000004
【図３】
0003172974.tif 000005
(57)【要約】      （修正有）【課題】シャツの衿に重ねて使用し、衿の汚れ防止、吸汗、ファッション性を持たせた着脱自由の付け衿を提供する。【解決手段】シャツの衿に重ねて使用する衿部と、シャツの衿に重ねた際に首周りに位置する台衿と、衿への留め具からなる。【選択図】図２
0003172936.tif 000002
【実用新案登録請求の範囲】
【請求項１】
着脱自由付け衿
【請求項２】
着脱自由付け衿を衿に固定する留め具部、留め具、固定具類を含む
【考案の詳細な説明】
【技術分野】
【０００１】この考案は、衿のあるシャツの衿に重ねて使用するもので、シャツの衿への直接の汚れを防ぐと共に、吸汗機能を持ち、衿部分のデザインで新しいファッションを楽しむ新規の着脱自由の付け衿である。
【背景技術】
【０００２】従来、このような衿はない。
【考案の開示】
【考案が解決しようとする課題】
【０００３】従来のシャツの衿は、汗等で首周りが汚れ、洗濯等に苦心したり、汚れが落ちにくい等の問題があったり、首周りの吸汗が十分でないなどの欠点があった。  また、クールビズなどネクタイを着用しない場合は、首周りのファッション性に欠けるという欠点があった。
【課題を解決するための手段】
【０００４】着脱自由の付け衿とすることで、
１．台衿と衿から構成される
２．シャツへの固定具を備える
以上から構成される新規の着脱衿である。
図１．  はその形状をあらわしている使用例
図２．  は本考案の構成部をあらわしている
【考案の効果】
【０００５】以下、本考案の実施の形態について説明する。
（イ）台衿と衿からなり、シャツへの固定具を備える構造物である。
（ロ）形、素材、柄、固定具等は自由なデザインとなる。
【考案を実施するための最良の形態】
【０００６】このような形状にすることにより、シャツの衿の汚れを防止でき、吸汗機能を持ち、色、柄でファッションを楽しむことができるようになる。
【実施例】
【０００７】以下、添付図面に従って実施例を説明する。
全体的にシャツの台衿と衿の形状で、
（Ａ）全体図
（Ｂ）開いて見た形
（Ｃ）シャツへの固定具部
以上より構成される構造物である。【０００８】  （Ａ）をシャツの衿に重ねる。  （Ｃ）の固定部でシャツに固定する。
【図面の簡単な説明】
【０００９】
【図１】図１．はその形状をあらわしている使用例である。
【図２】図２．は本考案のそれぞれの構成部をあらわしている。
【符号の説明】
【００１０】    符号（Ａ），全体部をあらわす。
符号（Ｂ），開いて見た形をあらわす。
符号（Ｃ），重ねて付けるシャツへの固定具部。
【図１】
0003172936.tif 000003
【図２】
0003172936.tif 000004
【手続補正書】
【提出日】平成23年7月8日(2011.7.8)
【手続補正１】
【補正対象書類名】実用新案登録請求の範囲
【補正対象項目名】全文
【補正方法】変更
【補正の内容】
【実用新案登録請求の範囲】
【請求項１】
衿のあるシャツの衿に重ねて使用する衿部と台襟から構成される付ける衿で、シャツの衿の直接の汚れを防ぎ、吸汗機能を有し、その素材、デザインの多様性で新規のファッションアイテムとすることができ、又、衿への留め具・多様な着脱方法も含めた着脱自由付け衿。
【請求項２】
着脱自由付け衿を付ける衿に固定するには、付ける衿のボタン、ボタンホールを利用する留め具、あるいは、付ける衿の衿部、台衿などに固定する固定具を備えている必要があり、これらは、紐状、針状、クリップ状、挟む形状の物、ボタン状のもの等の留め具や固定具類となり、これらの留め具、固定具を備えた着脱自由付け衿。
【手続補正書】
【提出日】平成23年9月29日(2011.9.29)
【手続補正１】
【補正対象書類名】実用新案登録請求の範囲
【補正対象項目名】全文
【補正方法】変更
【補正の内容】
【実用新案登録請求の範囲】
【請求項１】
衿のあるシャツの衿に重ねて使用する衿部と、衿のあるシャツの衿に重ねた際に首周りに位置する台衿と、衿への留め具から構成されることを特徴とする着脱自由付け衿。
(57)【要約】      （修正有）【課題】額を壁に平行に取り付けることができる額取り付け具を提供する。【解決手段】額取り付け具１は、額上部取り付け板１５の下部とビス掛け板１７の上部が両板が平行となるように接続板１６によって接続される。額上部取り付け板は、額の裏側の額上部枠に取り付けられるビス穴３と中心点４を有すする。ビス掛け板は、ビス掛け溝２がくり抜かれている。接続板と同じ幅のスペーサーを額の裏側の左右下部に取り付ける。【選択図】図６
0003172940.tif 000002
【実用新案登録請求の範囲】
【請求項１】
額取り付け具１を額の上部枠９の裏側中央に取り付け、額の下部枠１０の裏側左右に額取り付け具と同じ幅のスペーサー６を取り付け、壁１１に打ち込んだ額掛けビス７に額取り付け具下部にあけた額掛け溝２を掛けることにより、額が壁に平行に取り付けることが出来る額取り付け具。
【考案の詳細な説明】
【考案の詳細な説明】
【考案が解決しようとする課題】
【０００１】  従来額を壁に取り付ける場合、額の左右の枠上部に取り付けたフック１３に結びつけた紐１４を壁に取り付けた紐掛けフック１２に掛け取り付けていたが、額上部は壁との間に隙間ができ、壁と平行に額を取り付けることが困難であった。
【課題を解決するための手段】
【０００２】  上記問題を解決するため、額取り付け具１を額の上部枠９の中央に額取り付け具のセンターマーク４を合わせ、ビス穴３を通してビス８で取り付け、額の下部枠１０の左右に額取り付け具と同じ高さのスペーサー６を取り付け、壁１１に打ち込んだ額掛けビス７に額取り付け具下部にあけた額掛け溝２を掛ければ、額取り付け具１とスペーサー６の幅が同じであるため、額が壁に平行に取り付けることが出来るようにした。
【考案の効果】
【０００３】  額が壁に平行に取り付けることができることにより、インテリアとしても見栄えがよくなり、絵画や展示場のパネルなどにも応用でき便利である。
【図面の簡単な説明】
【図１】額取り付け具で壁に額を取り付けた側面図
【図２】従来の紐を使用した額の取り付け側面図
【図３】額に額取り付け具を取り付けた断面図
【図４】額取り付け具とスペーさーを取り付けた額裏側鳥瞰図
【図５】額取り付け具鳥瞰図
【符号の説明】  １  額取り付け具
２  額吊り溝
３  額取り付け具取り付けビス穴
４  センターマーク
５  額裏側
６  スペーサー
７  額掛けビス
８  額取り付け具取り付けビス
９  額上部枠
１０  額下部枠
１１  壁
１２  壁に取り付けた紐掛けフック
１３  額に取り付けたフック
１４  紐
【図１】
0003172940.tif 000003
【図２】
0003172940.tif 000004
【図３】
0003172940.tif 000005
【図４】
0003172940.tif 000006
【図５】
0003172940.tif 000007
【手続補正書】
【提出日】平成23年10月19日(2011.10.19)
【手続補正１】
【補正対象書類名】実用新案登録請求の範囲
【補正対象項目名】全文
【補正方法】変更
【補正の内容】
【実用新案登録請求の範囲】
【請求項１】
額取り付け具１は、額の裏側５の額上部枠９に取り付けられるビス穴３と中心点４をつけた額上部取り付け板１５の下部と、真ん中に額掛けビス７のビスの頭２０より細く、ビス７より太いビス掛け溝２をくり抜いたビス掛け板１７の上部が、ビスの頭２０がスムーズに通ることの出来る幅がある接続板１６によって平行となるように接続された形状であり、額取り付け具１及び接続板１６の幅と同じスペース幅１９のスペーサー６を額の裏側から見た左側の枠２１の下部と、額を裏側から見た右側の枠２２の下部に取り付けることによって構成された額２１を壁１１に平行に取り付けることのできる額取り付け具。
【手続補正３】
【補正対象書類名】明細書
【補正対象項目名】０００１
【補正方法】変更
【補正の内容】
【０００１】[考案が解決しようとする課題]従来額２４を壁１１に取り付ける場合、額２４を額を裏側から見た左側の枠２１の上部と、額を裏側から見た右側の枠の上部２２に取り付けたフック１３に結びつけた紐１４を、壁に取り付けた紐掛けフック１２に掛け取り付けていたが、額上部２３は重力により壁から離れ、壁１１との間に隙間ができ、額２４を壁１１に平行に取り付けることが困難であった。
【手続補正４】
【補正対象書類名】明細書
【補正対象項目名】０００２
【補正方法】変更
【補正の内容】
【０００２】[課題を解決するための手段]問題を解決するため、額取り付け具１の額上部枠取り付け板１５の中心点４を額上部枠９の真ん中に合わせ、額取り付け具１をビス穴３に通し、ビス８で固定し額の下部枠１０の左右に、額取り付け具１の接続板１６と同じ幅のスペース幅１９をもったスペーサー６を取り付け、壁１１に打ち込んだ壁掛けビス７のビス頭２０と、壁１１との間に額取り付け具１のビス掛け板１７にくり抜かれたビス掛け溝２を通すことにより、額２４は壁取り付け具１の接続版１６とスペーサー６のスペース幅１９が同じであることから、額上部に重力がかかっても、スペーサー６のスペース幅１９が額取り付け具１の額上部取り付け板１５と同じ幅であるため、額２４は壁１１に対し平行に取り付けることが出来る。
【手続補正５】
【補正対象書類名】明細書
【補正対象項目名】０００４
【補正方法】変更
【補正の内容】
【０００４】
【図１】額取り付け具で壁に額を取り付けた側面図
【図２】従来の紐を使用した額の取り付け側面図
【図３】額に額取り付け具を取り付けた断面図
【図４】額取り付け具とスペーサーを取り付けた額裏側鳥瞰図
【図５】スペーサー
【図６】額取り付け具鳥瞰図
【手続補正６】
【補正対象書類名】明細書
【補正対象項目名】０００５
【補正方法】変更
【補正の内容】
【０００５】  １．額取り付け具  ２．ビス掛け溝  ３．ビス穴  ４．センターマーク  ５．額裏側  ６．スペーサー  ７．壁に打ち込んだビス  ８．ビス  ９．額上部枠１０．額下部枠１１．壁１２．壁に取り付けた紐掛けフック１３．額に取り付けたフック１４．紐１５．額上部枠取り付け板１６．接続板１７．ビス掛け板１８．額下部取り付け面１９．スペース幅２０．ビスの頭２１．額を裏側から見た左側の枠２２．額を裏側から見た右側の枠２３．額上部２４．額
【手続補正７】
【補正対象書類名】図面
【補正対象項目名】全図
【補正方法】変更
【補正の内容】
【図１】
0003172940.tif 000008
【図２】
0003172940.tif 000009
【図３】
0003172940.tif 000010
【図４】
0003172940.tif 000011
【図５】
0003172940.tif 000012
【図６】
0003172940.tif 000013
(57)【要約】      （修正有）【課題】人工毛、髪飾り又は装飾品を自由に付けたり外したりできる装着ピンを提供する。【解決手段】金属製又はアルミ製軽金属からなる筒型円形状の左右から下にかけて、同素材のＵ字状の外枠を一体成形する。【選択図】図３
0003172970.tif 000002
【実用新案登録請求の範囲】
【請求項１】
金属製又は、アルミ製軽金属からなる筒型円形状の左右から下にかけて、同素材のＵ字状の外枠を一体成形した事を特徴とする装着ピンであって、筒方円形状の内部に自毛や糸を通して前後を圧接して止めたり、筒型内部を通して使用し、Ｕ字状の空間に人工毛や髪飾り又は、装飾品を自分自身で取り外し出きる事を特徴とした装着ピン。
【考案の詳細な説明】
【考案の詳細の説明】
【技術分野】
【０００１】本考案は、筒型内部に自毛や糸を圧接して止めたり、筒型内部を通すことで、Ｕ字状空間に人工毛や髪飾り又は、装飾品などを自分自身で取り外し出きる事を目的とした装着ピン
【背景技術】
【０００２】従来の物で、筒型形状で内部に自毛や糸を通し、空いた空間に人工毛を通し前後を圧接して止める方法はあるが、自分自身で取り外しできない為、シャンプーやスタイリングの際に人工毛がもつれたり、商品の劣化が早かった。従来は、人工毛を自毛に取り付ける為の目的のもので、取り外す場合は、専門店やサロンへ行く必要があった。又、かつらなどを取り付ける装着ピンに人工毛や髪飾りを取り付け、自毛に取り付ける方法はあるが、装着ピンの安定性や大きさに問題があった。
【考案の開示】
【考案が解決しようとする課題】
【０００３】自分自身で必要に応じて、取り替えができない為、人工毛や髪飾り又は、装飾品の劣化が早く、取り外す時にも専門店やサロンに行く不便さがあった。又、別の方法で人工毛を装着する場合にも、ピンの大きさや安定性に問題があった。
【課題を解決する為の手段】
【０００４】本考案は、人工毛や髪飾り又は、装飾品を取り外しする為の装着ピンで、筒型円形状の左右から下にかけて、同素材のＵ字状の外枠を一体成形しており、Ｕ字状空間を作る事で、その中に人工毛や髪飾り又は、装飾品を取り付けたり、自由に自分自身で取り外す事が出来、商品の劣化を少なくする事が出きる。又、ピンの大きさにより、人工毛や髪飾り又は、装飾品の大きさに対応出来る為、小さければ目立たず、大きくても安定性の高いピンに工夫し、人工毛や髪飾り又は、装飾品の取り外しの際にも、専門店やサロンに行く必要性をなくした。
【考案の効果】
【０００５】請求項１本考案により人工毛や髪飾り又は、装飾品を自分自身で取り外しが出来る為、洋服の色や持ち物に合わせて取り替える事が出きる。Ｕ字状空間に糸やリング状の金属を通し、帽子や洋服にも取りつける事が出来、人工毛や髪飾り又は、装飾品の劣化を少なくし、取り外しの際にも、専門店やサロンに行く必要性がなくなった。又、筒型円形状の大きさにより、自毛や糸以外の物でも筒型内部を通して使用できる為、用途が広がった。
【考案を実施する為の最良の形態】
【０００６】図面を参照して本考案の実施の形態を説明する。金属製又は、アルミ製軽金属からなる筒型円形状（１）の左右から下にかけて、同素材のＵ字状の外枠を一体成形（２）した事を特徴とする装着ピンであって、筒方円形状の内部（３）に自毛や糸を通して前後を圧接して止めたり、筒型内部を通して使用し、Ｕ字状の空間に人工毛や髪飾り又は、装飾品を自分自身で取り外し出きる事を特徴とした装着ピン。
【図面の簡単な説明】
【０００７】
【図１】平面図
【図２】正面図
【図３】本考案の斜面図
【符号の説明】１  金属製又は、アルミ製軽金属からなる筒型円形状２  同素材のＵ字状の外枠３  筒方円形状の内部
【図１】
0003172970.tif 000003
【図２】
0003172970.tif 000004
【図３】
0003172970.tif 000005
(57)【要約】      （修正有）【課題】ワイヤレス充電をしていない時に、他の目的での利用を可能とし、屋外に於いても、携帯機器に内蔵した二次電池を充電可能とするワイヤレス充電器を提供する。【解決手段】ワイヤレス充電をしていない時、蓋部の内側を時刻・カレンダー・温度・湿度の表示器３として利用するため、各表示モジュールを蓋部に内蔵する。ＤＣジャックを介して供給される外部電源１２、または内蔵二次電池９よりＵＳＢケーブルを介して電力を供給し、ワイヤレス受電機能を持たない携帯機器１１への充電を行うため、ＵＳＢコネクターを設ける。屋外での充電を可能とするため、蓋部の外側にソーラー発電装置５を備える。携帯機器の置き台とするため、本体部に保持バーを設ける。  【選択図】図４
0003172962.tif 000002
【実用新案登録請求の範囲】
【請求項１】
ワイヤレス受電機能を持つ携帯機器（１０）に充電のための接続接点部を持たずに充電用電源を供給することを特徴とするワイヤレス充電器の開閉蓋（１）の内面に液晶パネル表示器（３）を持ち、時計・カレンダー・温度・湿度の表示機能を内蔵させたことを特徴とするＱｉ規格適合ワイヤレス充電器。
【請求項２】
開閉蓋（１）外面にソーラー発電セル（５）を持ち、本体に内蔵された二次電池（９）に充電できることを特徴とするＱｉ規格適合ワイヤレス充電器。
【請求項３】
本体に内蔵された二次電池（９）から、電圧安定装置を経てＵＳＢ型出力端子（７）よりＵＳＢケーブルを介し、ワイヤレス受電機能がない携帯機器（１１）に直接充電できることを特徴とするＱｉ規格適合ワイヤレス充電器。
【請求項４】
本体（２）上部に起き上げ式の保持バー（６）を設け、携帯機器を立て掛けられることを特徴とするＱｉ規格適合ワイヤレス充電器。
【考案の詳細な説明】
【技術分野】
【０００１】
本考案は、Ｑｉ規格ワイヤレス給電受電技術を利用した携帯機器用の充電器に付加されたソーラー発電機能および時計・カレンダー・温度・湿度の表示機能ならびに内蔵二次電池から携帯機器へ直接給電することで携帯機器に内蔵された二次電池に充電する機能に関するものである。
【背景技術】
【０００２】
ワイヤレス充電を目的として、携帯機器ごとに設計されたワイヤレス給電器と受電器の組み合わせでの利用に限られていた。
【考案の概要】
【考案が解決しようとする課題】
【０００３】
従来のワイヤレス充電器は、充電される携帯機器が特定されており、充電が完了すれば放置されていた。また、屋外では商用電源がなければ充電器としての機能を持つことができなかった。
【課題を解決するための手段】
【０００４】
本考案は、充電完了後も時計・温度計などとしての利用ができ、屋外においても携帯機器への充電を可能とすることができ、前述の課題を解決しようとするものである。
課題を解決するために、第一考案は、液晶表示型の時計・カレンダー・温度計・湿度計の機能モジュールを、本体と蝶番を介して設けられた蓋部の内側に内蔵しそれぞれの表示器とする。第二考案は、ソーラー発電セルを蓋部外側に設け、本充電器に内蔵した二次蓄電池に充電し、外部商用電源によって充電された電力の補足電源とする。第三考案は、内蔵二次蓄電池から、ワイヤレス受電機能がない携帯機器へＵＳＢケーブルを介して直接給電し、充電器として利用する。第四考案は、本ワイヤレス充電器を携帯機器の置き台として活用するものである。
【考案の効果】
【０００５】
第一考案、第二考案、第三考案により、ワイヤレス充電器が充電中であるか否かにかかわらず、時計・カレンダーなどの表示器としての利用ができる。また、屋外においても市販の携帯機器用ＵＳＢ接続ケーブルを介して、本ワイヤレス充電器内蔵二次電池より給電し、携帯機器に内蔵された二次電池を充電できる。この場合、ワイヤレス充電器内蔵二次電池への蓄電は、外蓋部に設けられたソーラー発電セルによる充電または商用電源からの充電の二通りの手段から選択できる。第四考案により、携帯機器の表示画面を正面から見ることができるよう机上に置くことができる。
【図面の簡単な説明】
【０００６】
【図１】本考案によるワイヤレス充電器の正面図であって、蓋部１を開いた状態ならびに蓋部１を閉じた状態を示す図である。
【図２】本考案によるワイヤレス充電器の上面図であって、蓋部１を開いた状態ならびに蓋部１を閉じた状態を示す図である。
【図３】本考案によるワイヤレス充電器の側面図であって、蓋部１を開いた状態ならびに蓋部１を閉じた状態を示す図である。
【図４】本考案によるワイヤレス充電器の電力供給系統図である。
【産業上の利用可能性】
【０００７】
Ｑｉ規格ワイヤレス充電機能による二次電池内蔵携帯機器の充電中であっても、あるいは充電を行っていない時であっても、卓上の置時計あるいはカレンダーあるいは温湿度計としての用途に適用できる。また、屋外でのソーラー発電または本ワイヤレス充電器に内蔵の二次電池電源により、商用電源の存在しない場所においても二次電池内蔵携帯機器への充電用途に利用が可能となる。さらには携帯機器の画面表示を見るための置き台としての利用も可能である。
【符号の説明】
【０００８】
１  充電器上蓋
２  充電器本体
３  液晶表示部
４  ワイヤレス給電部
５  ソーラー発電セル
６  携帯機器保持バー
７  ＵＳＢ接続コネクター
８  ＤＣジャック（外部電源入力）
９  内蔵二次電池
１０．  携帯機器（Ｑｉ規格対応）
１１．  携帯機器（Ｑｉ規格非対応）
１２．  外部電源
【図１】
0003172962.tif 000003
【図２】
0003172962.tif 000004
【図３】
0003172962.tif 000005
【図４】
0003172962.tif 000006
【手続補正書】
【提出日】平成23年11月2日(2011.11.2)
【手続補正１】
【補正対象書類名】実用新案登録請求の範囲
【補正対象項目名】全文
【補正方法】変更
【補正の内容】
【実用新案登録請求の範囲】
【請求項１】
ワイヤレス受電機能を持つ携帯機器（１０）に充電のための接続接点部を持たずに充電用電源を供給することを特徴とする充電器であって、開閉蓋（１）と充電器本体（２）で構成され、本体（２）に二次電池（９）と充電回路及び電圧安定回路を内蔵し並びにＵＳＢ接続コネクター（７）を持ち、開閉蓋（１）の内面に持つ液晶パネル表示器（３）によって、時計・カレンダー・温度・湿度の表示機能を持たせたことを特徴とするＱｉ規格適合ワイヤレス充電器。
【請求項２】
開閉蓋（１）外面にソーラー発電セル（５）を持ち、本体（２）に内蔵された二次電池（９）に充電できることを特徴とする請求項１に記載のワイヤレス充電器。
【請求項３】
本体に内蔵された二次電池（９）から電圧安定回路を経てＵＳＢ型接続コネクター（７）よりＵＳＢケーブルを介し、ワイヤレス受電機能を持たない携帯機器（１１）に直接充電できることを特徴とする請求項１に記載のワイヤレス充電器。
【請求項４】
本体（２）上面に起き上げ式の保持バー（６）を設け、携帯機器を立て掛けられることを特徴とする請求項１に記載のワイヤレス充電器。
(57)【要約】      （修正有）【課題】老人や身体に障害のある人でも、物干し竿に布団、毛布など重いものを容易に掛けることができる簡単な物干し竿補助具を提供する。【解決手段】硬質樹脂管表面に５ミリの溝枠２を５０ミリ等間隔に設けて一体とした硬質樹脂管本体１で該硬質樹脂本管の長さを７００ｍｍとして物干し竿１０に通す。該硬質樹脂管を通す事によって、布団、毛布など重いものは該硬質樹脂管本体１が回転することで容易に掛けることが出来る。また通常の洗濯物ハンガーとしても使用することもできる。ハンガーはその大小にかかわらず溝枠２に掛けることにより該溝枠各々がストッパーの役目をすることになるので、ずれて一箇所に集まることがない。【選択図】図１
0003172969.tif 000002
【実用新案登録請求の範囲】
【請求項１】
硬質樹脂等にて形成された物干し竿の直径より大きい硬質樹脂管にして該硬質樹脂管の表面外周に沿って溝枠を等間隔に設け一体とした物干し竿補助具。
【考案の詳細な説明】
【考案の詳細な説明】
【産業上の利用分野】
【０００１】  本考案は、硬質樹脂等にて形成された物干し竿の直径より大きい硬質樹脂管にして該硬質樹脂管の外周表面に沿って溝枠を等間隔に設けて一体としてなる硬質樹脂管で、物干し竿の補助具に関するものである。
【背景技術】
【０００２】  身長の差、老人、身体に障害のある人等が布団、毛布など重い物を干す場合、これらを物干し竿に掛けることは大変な労力と体力を必要とするが、簡単で容易に使える補助具がなかった。
【考案の開示】
【考案が解決しようとする課題】
【０００３】  通常使用されている物干し竿はステンレス製の竿が一般的である。この竿に重い布団や毛布などを掛けて干す場合，先端を竿の上側に掛けて引き下げる作業が身障者や老人には大変な労力と体力を必要とする。これら一連の作業省力化の物干し竿補助具を提供する。
【課題を解決するための手段】
【０００４】物干し竿が部分的に回転すれば回転力により物を引き下げる力が半減できる。しかし物干竿自体を回転することは不都合が生じるため物干し竿の直径より大きい硬質樹脂管を該物干し竿に通し回転出来るようにしたことを特長とする物干し竿補助具。
【考案の効果】
【０００５】  物干し竿の直径より大きい硬質樹脂管本体の外周表面に等間隔に溝枠を設けた該硬質樹脂管を物干し竿に通し回転出来るようにしたため、該硬質樹脂管に掛けられた干し物は少しの力を加えることによりその箇所だけ回転する。従って他の干し物には影響を及ぼすことなく労力を要しないで重いものを掛けることが出来る。また硬質樹脂管は通常のハンガーとして使用することが出来、ハンガーをぶら下げたとき該硬質樹脂管には溝枠が設けてあるため風による吹き寄せが生じない。
【考案を実施するための最良の形態】
【０００６】  以下、本考案の実施形態について説明する。一定の長さの硬質樹脂管本体（１）の外周表面に溝枠（２）を等間隔に設けて一体とした硬質樹脂管にして該硬質樹脂管本体（１）を物干し竿（１０）に通すことにより、該硬質樹脂管に掛けられた重い干し物は下方に引っ張るか押し上げることにより滑車の原理で物干し竿を軸として回転するため容易に物干し竿に掛けることができる。
【実施例１】
【０００７】  図１に示すように硬質樹脂管表面に５ミリの溝枠（２）を５０ミリ等間隔に設けて一体とした硬質樹脂管本体（１）で該硬質樹脂本管の長さを７００ｍｍとして物干し竿（１０）に通し実験をした。該硬質樹脂管を通す事によって、布団、毛布など重いものは該硬質樹脂管本体（１）が回転することで容易に掛けることが出来た。また通常の洗濯物ハンガーとしても使用することもできる。ハンガーはその大小にかかわらず溝枠（２）に掛けることにより該溝枠各々がストッパーの役目をすることになるので、ずれて一箇所に集まることがない。【０００８】  図３に示すように硬質樹脂管本体（１）表面に設けられた溝枠（２）の代わりに４ｍｍΦで７ｍｍの突起体（３）を５０ｍｍ等間隔に上下左右に設けて硬質樹脂管としても同じ効果が得られた。
【図面の簡単な説明】
【０００９】
【図１】本考案の斜視図
【図２】本考案の断面図
【図３】本考案の実施例斜視図
【符号の説明】
【００１０】１    硬質樹脂管本体２    溝枠３    突起体１０  物干し竿
【図１】
0003172969.tif 000003
【図２】
0003172969.tif 000004
【図３】
0003172969.tif 000005
(57)【要約】      （修正有）【課題】粘着テープを段ボール等の梱包材に貼り付ける際に用いられている手持ち式テープカッターであって、粘着テープを引き出す際に粘着テープの横方向にスリット列を形成できるテープカッターを提供する。【解決手段】ケーシング２におさめられた粘着テープ７を、スリット形成ガイドローラー３を介して引出し、植え付けてある刃が、ローラー一回転ごとにテープの長手方向にローラーの外周の長さのピッチでスリットの列を形成できる。それにより段ボール８の開封は、合わせ目を指でなぞるようにすれば段ボールの合わせ目とスリットが合うところで粘着テープ７は大きく裂け簡単に開封ができる。【選択図】図１
0003172963.tif 000002
【実用新案登録請求の範囲】
【請求項１】
テープを入れるケイシング、スリット形成ローラー、テープカット刃を備えた手持ち式テープカッターであって、前記ローラーがその表面に、ローラーの回転軸と平行な向きに一列に配列された複数のスリット形成刃を有し，前記スリット形成刃がテープの長手方向にローラー外周の長さのピッチのスリット列を形成できる、手持ち式のテープカッター。
【考案の詳細な説明】
【技術分野】
【０００１】本考案は、粘着テープを段ボール等の梱包材に貼り付ける際に用いられている手持ち式テープカッターに関し、さらに詳しくは、粘着テープを引き出す際に粘着テープの横方向にスリット列を形成できるテープカッターに関する。
【背景技術】
【０００２】段ボール等を粘着テープで梱包する場合に、手持ち式のテープカッターが用いられる事がある。この手持ち式のテープカッターは、粘着テープを装着するケーシングと周辺にガイドローラー及びガイドバー及びカット刃を備えた構造をしている。
その使用方法を段ボールの梱包で説明すれば、テープカッターを手に持ちケーシングに装着された粘着テープを、ガイドローラーを介して引出し段ボールの貼り口端に粘着させ、段ボールの貼り終わり端まで引っ張って貼り付け粘着テープをカット刃でカットし、その後手のひらでなでるようにテープを密着させる。
【先行技術文献】
【０００３】
【特許文献１】特開平５−２４７３４号公報
【特許文献２】特開平９−５２６５２号公報
【考案の概要】
【考案が解決しようとする課題】
【０００４】（ア）前記のようにして貼られ梱包された段ボールを開封しようとする場合、貼られたテープの端を指先の爪で何度もめくる動作を繰り返し、剥がし口を作り、その部分をつまんでテープを剥がす事になる。爪が伸びて無かったら上手くいかないし面倒である。
（イ）段ボールの合わせ目に沿って、カッターなど器具を使ってテープを切り裂き開封する。常にカッターなど器具を身の回りに置いておく必要があり不便である。
（ウ）段ボールの中の品物によってはカッターの使用は、中身を傷付けるので厳禁している物もある。【０００５】本考案は上記の点を考慮し、カッターを使用せずに粘着テープで梱包された段ボールの合わせ目にそって粘着テープを切り離し、簡単に開封出来る手持ち式テープカッターを提供する事を目的とする。
【課題を解決するための手段】
【０００６】上記の目的を達成するために、ガイドローラー表面に回転軸と平行な向きに刃を複数軸方向一列に植え付け粘着テープを引出すたびに回転させ、一回転ごとに粘着テープにスリット列を形成させる。以下ガイドローラーはスリット形成ローラーと言う。
本テープカッターの構造は、粘着テープ入れるケーシングと周辺にスリット形成ガイドローラー及び、ガイドバー及びカット刃で構成されていて従来のテープカッターと同じである。手持ち式のテープカッターはその使い方から、段ボールに斜めに貼られたりセンターがずれたりするので、スリット列はローラー軸方向の四分の三の範囲でセンターより左右に振り分けるように配置し、ピッチは１．０ミリから３．０ミリとする。
【考案の効果】
【０００７】本考案のテープカッターを使用することにより段ボールの開封は、梱包された段ボールの合わせ目と、テープにあいているスリットが交わる部分を指で押すようになぞるだけで大きく裂け、そこを手で広げれば簡単に開封ができる。指をカッターの代わりに出来る。
【図面の簡単な説明】
【０００８】
【図１】本考案のテープカッターの実施例の断面図である。
【図２】本考案のテープカッターの正面図である。
【図３】本考案のテープカッターによって粘着テープにスリット列が形成された状態の平図である。
【考案を実施するための形態】
【０００９】本考案のテープカッター６は、ケーシング２におさめられた粘着テープ７を、スリット形成ガイドローラー３を介して引出し、植え付けてある刃が、ローラー一回転ごとにテープの長手方向にローラーの外周の長さのピッチでスリットの列を形成できる。それにより段ボール８の開封は、合わせ目を指でなぞるようにすれば段ボールの合わせ目とスリットが合うところで粘着テープ７は大きく裂け簡単に開封ができる。
【実施例】
【００１０】本考案のテープカッターを図で説明すれば、図１は実施例の断面図でありその使用方法で説明すると図１はテープカッター６を手に持ち段ボール８の貼り口端に粘着テープ貼り付け、段ボール合わせ目に沿ってテープカッターでスリット列を形成させながら移動させ、段ボール貼り終わり端に粘着テープを貼り付け、カット刃４でカットしそののち手のひらでなで密着させる。
このテープカッターの構造は従来のものと変わらず基体部１ケーシング２ガイドバー５スリット形成ガイドローラー３カット刃４より構成されている。
【産業上の利用可能性】
【００１１】このテープカッターは従来のテープカッターと構造が同じなので比較的安価に製造できる。また粘着テープを引出す際にスリット列が出来るので、梱包作業に特別な技術を必要としない。
【符号の説明】
【００１２】１  基体部
２  ケーシン
３  スリット列形成ガイドローラー
４  カッター刃
５  ガイドバー
６  テープカッター
７  粘着テープ
８  段ボール
【図１】
0003172963.tif 000003
【図２】
0003172963.tif 000004
【図３】
0003172963.tif 000005
(57)【要約】      （修正有）【課題】袖部分に上下部に面ファスナーを縫いつけることにより、必要な時に、片手で簡単に袖を捲りあげられ、又簡単にもとに戻すことが出来る袖上げ浴衣を提供する。【解決手段】浴衣本体１の袖部分２の雄の面ファスナー４を持ち、雌の面ファスナー４へ袖部分２が三角形になるようにして結合する。面ファスナー４の下部のテープを上部の面ファスナー３より長くすることにより、男女体格差の違いにも対応できる。面ファスナー４の雌を上部に縫いつけることにより、長髪、特に女性の方の髪にからまる事がない。また、面ファスナーによる袖上げのため、袖上げ後の形が三角形に折り上がるので腕の肌が出ることがなく、見栄えが良い。【選択図】図１
0003172984.tif 000002
【実用新案登録請求の範囲】
【請求項１】
浴衣の袖部分の上部に雌の面ファスナーを縫いつけ、下部の袖部分に
雄の面ファスナーを縫いつけ、雄と雌の面ファスナーを結合し、浴衣の
袖部を捲り上げる袖上げ浴衣。
【考案の詳細な説明】
【技術分野】
【０００１】
本案は浴衣の袖部分に面ファスナーを二か所縫いつけた袖上げ浴衣である。
【背景技術】
【０００２】
従来、ホテル、旅館等において浴衣を着ての食事の時、袖上げの方法として、
タスキ、腕まくり、ゴム等による方法しかなかった。
【考案の概要】
【考案が解決しようとする課題】
【０００３】
従来の袖上げ方法に次のような問題点があった。
（イ）袖上げに時間がかかる。
（ロ）袖上げのための用具を携帯する必要がある。
【課題を解決するための手段】
【０００４】
袖部分に上下部に面ファスナーを縫いつけることにより、必要な時に、片手で
簡単に袖を捲りあげられ、又簡単にもとに戻すことが出来る。
【考案の効果】
【０００５】
上述の様に、本考案の袖上げ浴衣は袖に面ファスナーを縫いつけることにより、
（イ）一連の操作で簡単に袖上げが出来る。
（ロ）袖上げのための用具が必要ない。
【図面の簡単な説明】
【０００６】
【図１】本考案の面ファスナーを縫いつけた浴衣の実施例を示す正面図である。
【図２】本考案の袖上げ後の実施例を示す図である。
【実施例】
【０００７】
以下、添付図面に従って実施例を説明する。
浴衣本体１の袖部分２の雄の面ファスナー４を持ち、雌の面ファスナー４へ
袖部分２が三角形になるようにして結合する。
（イ）面ファスナー４の下部のテープを上部の面ファスナー３より長くする
ことにより、男女体格差の違いにも対応できる。
（ロ）面ファスナー４の雌を上部に縫いつけることにより、長髪、特に女性の方の
髪にからまる事がない。
（ハ）面ファスナーによる袖上げのため、袖上げ後の形が三角形に折り上がるので
腕の肌が出ることがなく、見栄えが良い。
【符号の説明】
【０００８】
1  浴衣本体
2  袖部分
3  雄の面ファスナー
4  雌の面ファスナー
【図１】
0003172984.tif 000003
【図２】
0003172984.tif 000004
(57)【要約】      （修正有）【課題】苦痛なく長時間、マスクを装着し続けることが可能な補助具を提供する。【解決手段】耳への負担を低減させるには、耳に引っ掛けない方法が最も有効である。マスク装着時の痛みを回避するため、結束体を使い、装着者の後頭部で結束体により可撓体を固定する。装着者の後頭部から見ると、結束体が見えてしまうが、頭髪を整えることで、頭髪の中へ隠れて、目立つこともない。この補助具を使用すれば、耳が痛くなることはなくなる。【選択図】図４
0003172782.tif 000002
【実用新案登録請求の範囲】
【請求項１】
マスクの可撓体（ゴム紐含）を後頭部で結束するための結束体（補助具）。
【請求項２】
材質をバルカナイズトファイバー（強化紙）での、マスク用結束体。
【考案の詳細な説明】
【技術分野】
【０００１】
本考案は、耳かけ部に可撓体 （ゴム式含む）を使用した、マスク装着時の補助具に関するものである。
【背景技術】
【０００２】
従来、マスクは、人が密集する場において空気感染や飛沫感染により流行するインフルエンザ等のウィルスの感染を防止するため等に使用されてきた。また、近年スギやヒノキなどの花粉により花粉症を発症する人が増加しており、このような花粉症発症者にとってマスクは必需品とされてきた。
【先行技術文献】
【特許文献】
【０００３】
【特許文献１】特開２００５−３２８９３７
【考案の概要】
【考案が解決しようとする課題】
【０００４】
近年、代表的なマスクの形状は特許文献１の図１のような、長方形型で、両縁部に可撓体 （ゴム紐等）が取り付けてあり、この可撓体をマスクを装着する人の耳に引っかけることで、マスク本体を鼻孔付近からずれないように考えられている。基本的にマスク装着は、人混みの通勤・通学中、職務時間中・手術中など、長時間に及ぶことが多い。それはマスクを外した瞬間からウィルス感染や花粉吸引の脅威にさらされるためである。しかし、長時間マスクを装着していることで、耳に可撓体が引っ掛かっている時間も長くなり、うっ血などにより耳の裏が痛くなる症状を訴える装着者も少なくはない。人体をウィルスやアレルギーから防御するために装着しているマスクが、人に苦痛を与え、その苦痛から解放されたいが為に、マスクを外す頻度が増えていては、本来マスクの目的であるウィルスやアレルギーからの防御の役割が減少してしまう。
【課題を解決するための手段】
【０００５】
従来のマスク（可撓体付き）を使いながらも、耳への負担を低減させるには、耳に引っ掛けない方法が最も有効である。本考案によれば、マスク装着時の痛みを回避するため結束体（図１）を使い、従来のマスクの可撓体を装着者の後頭部付近にまで引き伸ばし、後頭部で結束体により可撓体を固定する（図３）。装着者の後頭部から見ると図４の如く、結束体が見えてしまうが、頭髪を整えることで図５の如く、頭髪の中へ隠れて、目立つこともない。この方法であれば、可撓体を耳に引っ掛けることがなくなり、耳が痛くなることはなくなる。結束体の厚さは約１ｍｍ程度。材質はバルカナイズドファイバー（強化紙）を採用。この素材は、ペーパークリップを目的に、書類と一緒にシュレッター処理ができる。として既に市販化されている材質である。基本的に紙であるため人体への影響はなく、１ｍｍ程度の厚さにおいては十分な柔軟性もあり、頭部形状になじみ易い。
【考案の効果】
【０００６】
本考案によれば、可撓体が耳へ与える負担が解消されるため、苦痛なく長時間、マスクを装着し続けることが可能となり、従来定期的に可撓体を緩めては耳の痛みを解消する頻度も減少するため、ウィルスの感染や花粉の吸引を大幅に低減することが可能となる。
【図面の簡単な説明】
【０００７】
【図１】結束体（本体）
【図２】マスク通常装着時
【図３】結束体装着時
【図４】結束体装着時後方視
【図５】結束体装着時後方視（髪下状態）
【考案を実施するための形態】
【０００８】
結束体を装着する際は図４の如く、可撓体の片方を先に結束体の片方の爪に引っ掛けておき、従来通りにマスク本体を鼻孔にあて、もう片方の可撓体と、結束体の付いた可撓体を両手で後頭部へ廻し、更に片方の結束体の爪に可撓体 を引っ掛けることで装着が完了となる。その後、マスク本体を装着者本人の顔面骨格に合わせ、結束体をより具合の良い位置へ合わせる。
【実施例】
【０００９】
図３・４・５が装着した様子である。人の頭部の骨格は様々であるため、図の結束体の位置が必ずしも妥当な位置とは言えないが、大凡は図の如くである。
【産業上の利用可能性】
【００１０】
職種によって必要性は異なると考えられるが、毎日多数の人との接触がある職業においては、本考案は便利で都合が良いものと判断されるであろう。オフィス街が集中する都心と比較すると、地方の方が産業が活発で、生産ラインに携わる人口が遥に多い。生産ラインの作業者は一度ラインに入ってしまうと、手足は油で汚れてしまう。一方、食品関係のラインでは衛生上、作業中に顔等に触れることを禁止している。こういった職場では、マスクをしていて耳が痛くなっても我慢しなければならない。都心よりも、地方の工場地域での使用頻度が高まると考えられる。
【符号の説明】
【００１１】
１  マスク本体
２  可撓体 
３  可撓体 
４  可撓体 引掛り部
５  結束体
６  右耳
７  左耳
H  装着者
H’  装着者後方視
【図１】
0003172782.tif 000003
【図２】
0003172782.tif 000004
【図３】
0003172782.tif 000005
【図４】
0003172782.tif 000006
【図５】
0003172782.tif 000007
【手続補正書】
【提出日】平成23年9月16日(2011.9.16)
【手続補正１】
【補正対象書類名】実用新案登録請求の範囲
【補正対象項目名】全文
【補正方法】変更
【補正の内容】
【実用新案登録請求の範囲】
【請求項１】
：
：マスク等の可撓体を、耳の後ろに引っ掛けるのではなく、耳の裏の痛みを緩和する為、後頭部で結束するマスク用補助具で、軽量で柔軟性があり、環境にも優しいバルカナイズトファイバー強化紙を使用した、マスク用の結束体。
：
【手続補正書】
【提出日】平成23年10月29日(2011.10.29)
【手続補正１】
【補正対象書類名】実用新案登録請求の範囲
【補正対象項目名】全文
【補正方法】変更
【補正の内容】
【実用新案登録請求の範囲】
【請求項１】
マスク等の可撓体を耳の裏側でなく後頭部で結束させる為、両端に内側を向いたフック形状の穴及び溝を有しそのフックにマスク等の可撓体を引っ掛けて使用するマスク装着用補助具。
(57)【要約】      （修正有）【課題】おもしろさ及び新たなファッション性をもたせたブラジャーを提供する。【解決手段】左右の胸あて部分の色彩・模様・形状のいずれか一つ以上が異なる。【選択図】図１
0003172785.tif 000002
【実用新案登録請求の範囲】
【請求項１】
ブラジャーに関して左右の色彩・模様・形状等異なる物。
【考案の詳細な説明】
【技術分野】
【０００１】本考案はブラジャーに関するものである。
【背景技術】
【０００２】ブラジャーに関して一般に販売されている物は色彩・模様・形状は左右同じである
【考案の概要】
【考案が解決しようとする課題】
【０００３】ブラジャーに関しておもしろさ及び新たなファッション性をもたせる物である
【課題を解決するための手段】
【０００４】ブラジャーに関しておもしろさ及び新たなファッション性をもたせる為に左右の色彩・模様・形状等異なる物にする
【考案の効果】
【０００５】左右の色彩・模様・形状等を異なる物にする事によりおもしろさ及び新たなファッション性を表現する。
意外性・驚き・喜び等メンタルな面を高揚する
【図面の簡単な説明】
【０００６】
【図１】左右の色彩を異にした図
【図２】左右の模様を異にした図
【図３】左右の形状を異にした図
【考案を実施するための形態】
【０００７】現状のブラジャーの左右の色違い・模様違い・形状違いとする。
【実施例】
【０００８】現状では考案の異なりブラは市場には出ていない
おもしろさ及び新たなファッション性をもたせる形状とし製作する。
【産業上の利用可能性】
【０００９】左右の色彩・模様・形状等を異なる物にする事によりファッション性及びおもしろさを追求表現する。
これからの成熟した社会においては規格にとらわれない意外性・驚き・喜び等メンタルな面を追求する
【符号の説明】
【００１０】１  赤
２  緑            １，２は色彩を異にした物の例である
３  太陽
４  禁止          ３，４は模様を異にした物の例である
５  丸
６  三角          ５，６は形状を異にした物の例である
【図１】
0003172785.tif 000003
【図２】
0003172785.tif 000004
【図３】
0003172785.tif 000005
【手続補正書】
【提出日】平成23年10月12日(2011.10.12)
【手続補正１】
【補正対象書類名】実用新案登録請求の範囲
【補正対象項目名】全文
【補正方法】変更
【補正の内容】
【実用新案登録請求の範囲】
【請求項１】
ブラジャーにおいて
左右の胸当て部分の色彩・模様及び形状のいずれか一つ以上が異なるブラジャー。